(57)【要約】【課題】ＩＣ回路部近傍に結露が生じるのを防止し、健全性を向上する。【解決手段】情報を記憶するＩＣ回路部５１と情報の送受信を行うアンテナ５２とを備えた無線タグ回路素子Ｔoを配置した略シート状のアンテナ基材７１をそれぞれ有する複数の無線タグ回路素子保持体Ｈと、各無線タグ回路素子保持体Ｈをテープ厚さ方向両側よりそれぞれ挟むように配置された略テープ状の第１テープ媒体８１及び第２テープ媒体８２とを有し、第１テープ媒体８１、無線タグ回路素子保持体Ｈ、第２テープ媒体８２を含むテープ厚さ方向の積層構造を形成するタグテープ２２であって、積層構造のうち、無線タグ回路素子保持体Ｈ、若しくは、無線タグ回路素子保持体Ｈに対しテープ厚さ方向における近接する層に、ＩＣ回路部５１近傍の吸湿を行うための吸湿手段を設ける。【選択図】図８
2008299495.tif 000002
【特許請求の範囲】
【請求項１】
情報を記憶するＩＣ回路部と情報の送受信を行うタグ側アンテナとを備えた無線タグ回路素子を配置した略シート状のアンテナ基材をそれぞれ有する複数の無線タグ回路素子保持体と、
各無線タグ回路素子保持体をテープ厚さ方向両側よりそれぞれ挟むように配置された略テープ状の第１テープ媒体及び第２テープ媒体とを有し、
前記第１テープ媒体、前記無線タグ回路素子保持体、前記第２テープ媒体を含むテープ厚さ方向の積層構造を形成するタグテープであって、
前記積層構造のうち、前記無線タグ回路素子保持体、若しくは、前記無線タグ回路素子保持体に対しテープ厚さ方向における近接する層に、前記ＩＣ回路部近傍の吸湿を行うための吸湿手段を設けたことを特徴とするタグテープ。
【請求項２】
請求項１記載のタグテープにおいて、
前記無線タグ回路素子保持体は、前記吸湿手段を備える
ことを特徴とするタグテープ。
【請求項３】
請求項２記載のタグテープにおいて、
前記無線タグ回路素子保持体は、
前記吸湿手段として、前記アンテナ基材の少なくとも一部を吸湿材料により構成した
ことを特徴とするタグテープ。
【請求項４】
請求項２記載のタグテープにおいて、
前記無線タグ回路素子保持体は、
前記ＩＣ回路部を略覆うように保持する保持部材を備え、
前記吸湿手段として、前記保持部材の少なくとも一部を吸湿材料により構成した
ことを特徴とするタグテープ。
【請求項５】
請求項１記載のタグテープにおいて、
前記吸湿手段として、
前記無線タグ回路素子保持体の少なくとも一部とテープ厚さ方向において重なるように、前記第１テープ媒体と前記無線タグ回路素子保持体との間に略シート状の吸湿材を介在配置したことを特徴とするタグテープ。
【請求項６】
請求項１記載のタグテープにおいて、
前記吸湿手段として、
前記第１テープ媒体と前記無線タグ回路素子保持体との間において、前記無線タグ回路素子保持体の少なくとも一部に、略粉末状又は略液体状の吸湿剤を付着させたことを特徴とするタグテープ。
【請求項７】
請求項１記載のタグテープにおいて、
前記第１テープ媒体は、
前記無線タグ回路素子保持体に対しテープ厚さ方向における近接する層に、前記吸湿手段を備えることを特徴とするタグテープ。
【請求項８】
請求項７記載のタグテープにおいて、
前記第１テープ媒体は、
前記無線タグ回路素子保持体を配置するための略テープ状の第１テープ基材層と、
前記無線タグ回路素子保持体を前記第１テープ基材層に取り付けるための第１取り付け用粘着剤層と
を備えることを特徴とするタグテープ。
【請求項９】
請求項８記載のタグテープにおいて、
前記吸湿手段として、前記第１テープ基材層のうち少なくとも一部を吸湿材料により構成し、
前記第１取り付け用粘着剤層は、前記第１テープ基材層の前記吸湿材料による吸湿用の少なくとも１つの貫通孔を備える
ことを特徴とするタグテープ。
【請求項１０】
請求項８記載のタグテープにおいて、
前記第１取り付け用粘着剤層は、
前記吸湿手段としての、略粉末状又は略液体状の吸湿剤を含む
ことを特徴とするタグテープ。
【請求項１１】
請求項８乃至請求項１０のいずれか１項記載のタグテープにおいて、
前記第１テープ媒体は、
前記第１テープ基材層を貼り合わせ対象の被印字テープと貼り合わせるための貼り合わせ用粘着剤層を備える
ことを特徴とするタグテープ。
【請求項１２】
請求項１記載のタグテープにおいて、
前記吸湿手段として、
前記無線タグ回路素子保持体の少なくとも一部とテープ厚さ方向において重なるように、前記第２テープ媒体と前記無線タグ回路素子保持体との間に略シート状の吸湿材を介在配置したことを特徴とするタグテープ。
【請求項１３】
請求項１記載のタグテープにおいて、
前記吸湿手段として、
前記第２テープ媒体と前記無線タグ回路素子保持体との間において、前記無線タグ回路素子保持体の少なくとも一部に、略粉末状又は略液体状の吸湿剤を付着させたことを特徴とするタグテープ。
【請求項１４】
請求項１記載のタグテープにおいて、
前記第２テープ媒体は、
前記無線タグ回路素子保持体に対しテープ厚さ方向における近接する層に、前記吸湿手段を備えることを特徴とするタグテープ。
【請求項１５】
請求項１２乃至請求項１４のいずれか１項記載のタグテープにおいて、
前記無線タグ回路素子保持体の前記アンテナ基材は、前記無線タグ回路素子側とその反対側とを連通させるための貫通孔を備える
ことを特徴とするタグテープ。
【請求項１６】
請求項１４又は請求項１５記載のタグテープにおいて、
前記第２テープ媒体は、
前記無線タグ回路素子保持体を配置するための略テープ状の第２テープ基材層と、
前記無線タグ回路素子保持体を前記第２テープ基材層に取り付けるための第２取り付け用粘着剤層と
を備えることを特徴とするタグテープ。
【請求項１７】
請求項１６記載のタグテープにおいて、
前記吸湿手段として、前記第２テープ基材層のうち少なくとも一部を吸湿材料により構成し、
前記第２取り付け用粘着剤層は、前記第２テープ基材層の前記吸湿材料による吸湿用の少なくとも１つの貫通孔を備える
ことを特徴とするタグテープ。
【請求項１８】
請求項１６記載のタグテープにおいて、
前記第２取り付け用粘着剤層は、
前記吸湿手段としての、略粉末状又は略液体状の吸湿剤を含む
ことを特徴とするタグテープ。
【請求項１９】
タグテープを巻回して構成したタグテープロールを備え、タグラベル作成装置に着脱可能に構成された無線タグ回路素子カートリッジであって、
前記タグテープは、
情報を記憶するＩＣ回路部と情報の送受信を行うタグ側アンテナとを備えた無線タグ回路素子を配置した略シート状のアンテナ基材をそれぞれ有する複数の無線タグ回路素子保持体と、
各無線タグ回路素子保持体をテープ厚さ方向両側よりそれぞれ挟むように配置された略テープ状の第１テープ媒体及び第２テープ媒体とを有し、
前記第１テープ媒体、前記無線タグ回路素子保持体、前記第２テープ媒体を含むテープ厚さ方向の積層構造のうち、前記無線タグ回路素子保持体、若しくは、前記無線タグ回路素子保持体に対しテープ厚さ方向における近接する層に、前記ＩＣ回路部近傍の吸湿を行うための吸湿手段を設けた
ことを特徴とする無線タグ回路素子カートリッジ。
【請求項２０】
情報を記憶するＩＣ回路部と情報の送受信を行うタグ側アンテナとを備えた無線タグ回路素子を配置した略シート状のアンテナ基材を有する複数の無線タグ回路素子保持体のそれぞれを、
略テープ状の第１テープ媒体及び第２テープ媒体を用いてテープ厚さ方向両側よりそれぞれ挟みこみ、
前記第１テープ媒体、前記無線タグ回路素子保持体、前記第２テープ媒体を含むテープ厚さ方向の積層構造を形成するタグテープの製造方法であって、
前記第１及び第２テープ媒体による挟み込みの前に、前記無線タグ回路素子保持体の少なくとも一部に、略粉末状又は略液体状の吸湿剤を付着させることを特徴とするタグテープの製造方法。
【発明の詳細な説明】
【技術分野】
【０００１】
本発明は、外部と情報の無線通信が可能な無線タグをテープ状に連続的に作成するタグテープ、これを用いた無線タグ回路素子カートリッジ、及びタグテープの製造方法に関する。
【背景技術】
【０００２】
小型の無線タグとリーダ（読み取り装置）／ライタ（書き込み装置）との間で非接触で情報の読み取り／書き込みを行うＲＦＩＤ（Radio  Frequency  Identification）システムが知られている。例えばラベル状の無線タグに備えられた無線タグ回路素子は、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、商品管理や検査工程等の様々な分野において実用が期待されている。
【０００３】
このような無線タグは、通常、ラベル状の基材に無線タグ回路素子を設けて形成され、基材の裏面側に設けた粘着剤層によって対象物に貼り付け可能に構成される（＝無線タグラベル）。その構造の一例としては、例えば特許文献１に記載のものがある。この従来技術では、ラベルの基本構造を、カバーフィルムやベースフィルムを備えた一方側テープ媒体と、剥離紙を備えた他方側テープ媒体とを含む多層構造とする。そして、無線タグ回路素子を配置する位置では、一方側テープ媒体と他方側テープ媒体との間に、無線タグ回路素子を備えたアンテナパターンシート挿入するように配置している。無線タグラベルの使用時には、他方側テープ媒体の剥離紙を剥がして粘着剤層を露出させ、その粘着力でラベル全体を貼り付け対象に貼り付けるようになっている。
【特許文献１】特開２００６−３２３７３５号公報
【発明の開示】
【発明が解決しようとする課題】
【０００４】
上記従来技術のように、通常、無線タグラベルは、多層構造を構成する一方側テープ媒体と他方側テープ媒体の間に、無線タグ回路素子を挿入（介在）配置する構成が一般的である。このため、構造上（又は製造上）、その挿入配置される無線タグ回路素子において、一方側テープ媒体又は他方側テープ媒体側との間に空間が介在して空気層が生じる可能性がある。この空気層は周囲環境の温度変化によっては結露するおそれがあるが、この結露がＩＣ回路部の近傍に生じた場合には、ＩＣ回路部の健全性を低下させるおそれがあった。
【０００５】
本発明の目的は、ＩＣ回路部近傍に結露が生じるのを防止し、健全性を向上することができるタグテープ、これを用いた無線タグ回路素子カートリッジ、並びにタグテープの製造方法を提供することにある。
【課題を解決するための手段】
【０００６】
上記目的を達成するために、第１の発明は、情報を記憶するＩＣ回路部と情報の送受信を行うタグ側アンテナとを備えた無線タグ回路素子を配置した略シート状のアンテナ基材をそれぞれ有する複数の無線タグ回路素子保持体と、各無線タグ回路素子保持体をテープ厚さ方向両側よりそれぞれ挟むように配置された略テープ状の第１テープ媒体及び第２テープ媒体とを有し、前記第１テープ媒体、前記無線タグ回路素子保持体、前記第２テープ媒体を含むテープ厚さ方向の積層構造を形成するタグテープであって、前記積層構造のうち、前記無線タグ回路素子保持体、若しくは、前記無線タグ回路素子保持体に対しテープ厚さ方向における近接する層に、前記ＩＣ回路部近傍の吸湿を行うための吸湿手段を設けたことを特徴とする。
【０００７】
本願第１発明のタグテープにおいては、第１テープ媒体、無線タグ回路素子保持体、第２テープ媒体を含むテープ厚さ方向の積層構造を構成し、そのうち無線タグ回路素子保持体（若しくは無線タグ回路素子保持体に近接する層）に吸湿手段を設ける。この吸湿手段の吸湿作用により、積層構造中に設けたＩＣ回路部近傍に存在する空気層において、周囲温度の変動等によって結露が生じるのを防止する。この結果、無線タグ回路素子のＩＣ回路部の健全性を向上することができる。
【０００８】
第２発明は、上記第１発明において、前記無線タグ回路素子保持体は、前記吸湿手段を備えることを特徴とする。
【０００９】
無線タグ回路素子保持体に設けた吸湿手段により、ＩＣ回路部近傍に存在する空気層において結露が生じるのを防止することができる。
【００１０】
第３発明は、上記第２発明において、前記無線タグ回路素子保持体は、前記吸湿手段として、前記アンテナ基材の少なくとも一部を吸湿材料により構成したことを特徴とする。
【００１１】
これにより、アンテナ基材を吸湿手段として機能させ、ＩＣ回路部近傍に存在する空気層において結露が生じるのを防止することができる。
【００１２】
第４発明は、上記第２発明において、前記無線タグ回路素子保持体は、前記ＩＣ回路部を略覆うように保持する保持部材を備え、前記吸湿手段として、前記保持部材の少なくとも一部を吸湿材料により構成したことを特徴とする。
【００１３】
これにより、ＩＣ回路部を保持する保持部材を吸湿手段として機能させ、ＩＣ回路部近傍に存在する空気層において結露が生じるのを防止することができる。
【００１４】
第５発明は、上記第１発明において、前記吸湿手段として、前記無線タグ回路素子保持体の少なくとも一部とテープ厚さ方向において重なるように、前記第１テープ媒体と前記無線タグ回路素子保持体との間に略シート状の吸湿材を介在配置したことを特徴とする。
【００１５】
第１テープ媒体と無線タグ回路素子保持体との間に設けた略シート状の吸湿材により、ＩＣ回路部近傍に存在する空気層において結露が生じるのを防止することができる。また、略シート状の吸湿材を新たに追加するだけで、それ以外の構成は変えることなく、容易に結露防止を図ることができる。
【００１６】
第６発明は、上記第１発明において、前記吸湿手段として、前記第１テープ媒体と前記無線タグ回路素子保持体との間において、前記無線タグ回路素子保持体の少なくとも一部に、略粉末状又は略液体状の吸湿剤を付着させたことを特徴とする。
【００１７】
無線タグ回路素子保持体に付着させた吸湿剤により、ＩＣ回路部近傍に存在する空気層において結露が生じるのを防止することができる。また、吸湿剤を付着するだけで、積層構造自体は変えることなく、容易に結露防止を図ることができる。
【００１８】
第７発明は、上記第１発明において、前記第１テープ媒体は、前記無線タグ回路素子保持体に対しテープ厚さ方向における近接する層に、前記吸湿手段を備えることを特徴とする。
【００１９】
第１テープ媒体のうち無線タグ回路素子保持体に近接する層に設けた吸湿手段により、ＩＣ回路部近傍に存在する空気層において結露が生じるのを防止することができる。
【００２０】
第８発明は、上記第７発明において、前記第１テープ媒体は、前記無線タグ回路素子保持体を配置するための略テープ状の第１テープ基材層と、前記無線タグ回路素子保持体を前記第１テープ基材層に取り付けるための第１取り付け用粘着剤層とを備えることを特徴とする。
【００２１】
第２テープ媒体とともにテープ厚さ方向の積層構造を構成する第１テープ媒体において、第１取り付け用粘着剤層を介し、無線タグ回路素子保持体を第１テープ基材層に取り付けることができる。
【００２２】
第９発明は、上記第８発明において、前記吸湿手段として、前記第１テープ基材層のうち少なくとも一部を吸湿材料により構成し、前記第１取り付け用粘着剤層は、前記第１テープ基材層の前記吸湿材料による吸湿用の少なくとも１つの貫通孔を備えることを特徴とする。
【００２３】
これにより、第１テープ基材層の吸湿材料による吸湿機能を、第１取り付け用粘着剤層の貫通孔を介して無線タグ回路素子保持体側に確実に作用させることができ、この結果、ＩＣ回路部近傍に存在する空気層において結露が生じるのを防止することができる。
【００２４】
第１０発明は、上記第８発明において、前記第１取り付け用粘着剤層は、前記吸湿手段としての、略粉末状又は略液体状の吸湿剤を含むことを特徴とする。
【００２５】
第１取り付け用粘着剤層の吸湿剤による吸湿機能を無線タグ回路素子保持体側に作用させ、ＩＣ回路部近傍に存在する空気層において結露が生じるのを防止することができる。
【００２６】
第１１発明は、上記第８乃至第１０発明のいずれかにおいて、前記第１テープ媒体は、前記第１テープ基材層を貼り合わせ対象の被印字テープと貼り合わせるための貼り合わせ用粘着剤層を備えることを特徴とする。
【００２７】
これにより、被印字テープ、第１テープ媒体、無線タグ回路素子保持体、第２テープを備えた積層構造により印字済タグラベル用テープを構成することができる。またこの印字済タグラベル用テープを適宜の長さに切断することで、印字付き無線タグラベルを作成することが可能となる。
【００２８】
第１２発明は、上記第１発明において、前記吸湿手段として、前記無線タグ回路素子保持体の少なくとも一部とテープ厚さ方向において重なるように、前記第２テープ媒体と前記無線タグ回路素子保持体との間に略シート状の吸湿材を介在配置したことを特徴とする。
【００２９】
第２テープ媒体と無線タグ回路素子保持体との間に設けた略シート状の吸湿材により、ＩＣ回路部近傍に存在する空気層において結露が生じるのを防止することができる。また、略シート状の吸湿材を新たに追加するだけで、それ以外の構成は変えることなく、容易に結露防止を図ることができる。
【００３０】
第１３発明は、上記第１発明において、前記吸湿手段として、前記第２テープ媒体と前記無線タグ回路素子保持体との間において、前記無線タグ回路素子保持体の少なくとも一部に、略粉末状又は略液体状の吸湿剤を付着させたことを特徴とする。
【００３１】
無線タグ回路素子保持体に付着させた吸湿剤により、ＩＣ回路部近傍に存在する空気層において結露が生じるのを防止することができる。また、吸湿剤を付着するだけで、積層構造自体は変えることなく、容易に結露防止を図ることができる。
【００３２】
第１４発明は、上記第１発明において、前記第２テープ媒体は、前記無線タグ回路素子保持体に対しテープ厚さ方向における近接する層に、前記吸湿手段を備えることを特徴とする。
【００３３】
第２テープ媒体のうち無線タグ回路素子保持体に近接する層に設けた吸湿手段により、ＩＣ回路部近傍に存在する空気層において結露が生じるのを防止することができる。
【００３４】
第１５発明は、上記第１２乃至請求項１４のいずれか１項発明において、前記無線タグ回路素子保持体の前記アンテナ基材は、前記無線タグ回路素子側とその反対側とを連通させるための貫通孔を備えることを特徴とする。
【００３５】
これにより、第２テープ媒体のうち無線タグ回路素子保持体に近接する層に設けた吸湿手段による吸湿機能を、アンテナ基材の貫通孔を介して無線タグ回路素子保持体側に確実に作用させることができ、この結果、ＩＣ回路部近傍に存在する空気層において結露が生じるのを防止することができる。
【００３６】
第１６発明は、上記第１４又は第１５発明において、前記第２テープ媒体は、前記無線タグ回路素子保持体を配置するための略テープ状の第２テープ基材層と、前記無線タグ回路素子保持体を前記第２テープ基材層に取り付けるための第２取り付け用粘着剤層とを備えることを特徴とする。
【００３７】
第１テープ媒体とともにテープ厚さ方向の積層構造を構成する第２テープ媒体において、第２取り付け用粘着剤層を介し、無線タグ回路素子保持体を第２テープ基材層に取り付けることができる。
【００３８】
第１７発明は、上記第１６発明において、前記吸湿手段として、前記第２テープ基材層のうち少なくとも一部を吸湿材料により構成し、前記第２取り付け用粘着剤層は、前記第２テープ基材層の前記吸湿材料による吸湿用の少なくとも１つの貫通孔を備えることを特徴とする。
【００３９】
これにより、第２テープ基材層の吸湿材料による吸湿機能を、第２取り付け用粘着剤層の貫通孔を介して無線タグ回路素子保持体側に確実に作用させることができ、この結果、ＩＣ回路部近傍に存在する空気層において結露が生じるのを防止することができる。
【００４０】
第１８発明は、上記第１６発明において、前記第２取り付け用粘着剤層は、前記吸湿手段としての、略粉末状又は略液体状の吸湿剤を含むことを特徴とする。
【００４１】
第２取り付け用粘着剤層の吸湿剤による吸湿機能を無線タグ回路素子保持体側に作用させ、ＩＣ回路部近傍に存在する空気層において結露が生じるのを防止することができる。
【００４２】
上記目的を達成するために、第１９の発明は、タグテープを巻回して構成したタグテープロールを備え、タグラベル作成装置に着脱可能に構成された無線タグ回路素子カートリッジであって、前記タグテープは、情報を記憶するＩＣ回路部と情報の送受信を行うタグ側アンテナとを備えた無線タグ回路素子を配置した略シート状のアンテナ基材をそれぞれ有する複数の無線タグ回路素子保持体と、各無線タグ回路素子保持体をテープ厚さ方向両側よりそれぞれ挟むように配置された略テープ状の第１テープ媒体及び第２テープ媒体とを有し、前記第１テープ媒体、前記無線タグ回路素子保持体、前記第２テープ媒体を含むテープ厚さ方向の積層構造のうち、前記無線タグ回路素子保持体、若しくは、前記無線タグ回路素子保持体に対しテープ厚さ方向における近接する層に、前記ＩＣ回路部近傍の吸湿を行うための吸湿手段を設けたことを特徴とする。
【００４３】
本願第１９発明の無線タグ回路素子カートリッジにおいては、タグテープが、第１テープ媒体、無線タグ回路素子保持体、第２テープ媒体を含むテープ厚さ方向の積層構造を構成し、そのうち無線タグ回路素子保持体（若しくは無線タグ回路素子保持体に近接する層）に吸湿手段を設ける。この吸湿手段の吸湿作用により、積層構造中に設けたＩＣ回路部近傍に存在する空気層において、周囲温度の変動等によって結露が生じるのを防止する。この結果、無線タグ回路素子のＩＣ回路部の健全性を向上することができる。
【００４４】
上記目的を達成するために、第２０の発明は、情報を記憶するＩＣ回路部と情報の送受信を行うタグ側アンテナとを備えた無線タグ回路素子を配置した略シート状のアンテナ基材を有する複数の無線タグ回路素子保持体のそれぞれを、略テープ状の第１テープ媒体及び第２テープ媒体を用いてテープ厚さ方向両側よりそれぞれ挟みこみ、前記第１テープ媒体、前記無線タグ回路素子保持体、前記第２テープ媒体を含むテープ厚さ方向の積層構造を形成するタグテープの製造方法であって、前記第１及び第２テープ媒体による挟み込みの前に、前記無線タグ回路素子保持体の少なくとも一部に、略粉末状又は略液体状の吸湿剤を付着させることを特徴とする。
【００４５】
これにより、無線タグ回路素子保持体に付着させた吸湿剤を用いて、ＩＣ回路部近傍に存在する空気層において結露が生じるのを防止することができる。また、第１テープ媒体及び第２テープ媒体により無線タグ回路素子保持体を挟み込む前に吸湿剤を付着する手順を加えるだけで、その他の手順や構成は変えることなく、容易に結露防止を図ることができる。
【発明の効果】
【００４６】
本発明によれば、ＩＣ回路部近傍に結露が生じるのを防止し、健全性を向上することができる。
【発明を実施するための最良の形態】
【００４７】
以下、本発明の一実施形態について図面を参照しつつ説明する。
【００４８】
図１は、本発明に係るタグテープを用いて無線タグラベルを作成するための無線タグラベル作成システムＴＳの全体のシステム構成を表すシステム構成図である。
【００４９】
図１において、無線タグラベル作成システムＴＳは、タグラベル作成装置１を有している。タグラベル作成装置１は、通信ネットワークＮＷを介してルートサーバＲＳ、情報サーバＩＳ、端末装置ＤＴａ、および汎用コンピュータＤＴｂなどに接続されており、例えば端末装置ＤＴａにて使用者が任意に入力するデータに基づいた印字などが施された無線タグラベルＴを作成する。
【００５０】
図２は、上記タグラベル作成装置１の外観構成を示す斜視図である。
【００５１】
図２において、タグラベル作成装置１は、装置本体２の上面に上蓋３を開閉可能に設けた構成となっている。装置本体２は、その内部に後述する内部ユニット１１（後述の図３参照）が設けられている。また装置本体２は、前面部２ａを有しており、この前面部２ａに、ラベル排出口４、側蓋５、電源ボタン６、およびカッタ駆動ボタン７が設けられている。ラベル排出口４は、装置本体２の内部で作成される無線タグラベルＴ（図中一点鎖線で表示）を外部に排出するのに用いられる。側蓋５は、下端を支点にした回動で開閉可能となっており、上端部に設けられている押部４ｐを上方より押し込むことで前方に回動して開くようになっている。電源ボタン６は、タグラベル作成装置１の電源のオン・オフ操作に用いられる。カッタ駆動ボタン７は、後述の切断部１６（後述の図３参照）を使用者が手動で操作して無線タグラベルＴの長さを所望の長さとする場合に用いられる。
【００５２】
上蓋３は、装置本体２の図２中右奥側の端部にて回動可能に支持されるとともに、バネ等の付勢部材（図示を省略）を介して開方向に付勢される一方で、装置本体２との間のロックできるようにされており、装置本体２の上面で上蓋３に隣接するように設けられている開ボタン８が押されることにより、上記ロックが解除して上記付勢作用により開放されるようになっている。また上蓋３には、透明カバーなどを嵌め込んで形成した透視窓９が設けられている。
【００５３】
図３は、装置本体２の内部に設けられている内部ユニット１１の要部の構成を模式化して示す要部構成図である。
【００５４】
図３において、内部ユニット１１は、カートリッジホルダ１２を備え、このカートリッジホルダ１２にカートリッジ１３（無線タグ回路素子カートリッジ）が着脱可能に装着されており、また圧接・テープ送り部１４、印字部１５、切断部１６、送受信部１７を備えている。
【００５５】
カートリッジ１３は、タグテープ２２（基材テープ）がタグテープ用リール部２３にロール状に巻回されたタグテープロール２１（本来は渦巻き状であるが簡略化して同心円で図示している）と、例えばＰＥＴ（ポリエチレンテレフタレート）樹脂製の透明なカバーフィルム２５（被印字テープ）がカバーフィルム用リール部２６にロール状に巻回されたカバーフィルムロール２４と、さらにインクリボンロール２７から繰り出されるインクリボン２８をリボン巻取りローラ２９で巻き取るようにされたインクリボンユニットとを有している。このようなカートリッジ１３は、カートリッジホルダ１２に装着された状態でその一部が図１における透視窓９を通して外部から見えるように構成されている。より具体的にいうと、カートリッジ１３の表面には、タグテープ２２のテープ幅や色などのテープタイプを表示したテープタイプ表示部（図示を省略）が設けられており、カートリッジホルダ１２にカートリッジ１３を装着した状態でこのテープタイプ表示部が透視窓９を通して外部から見えるように構成されている。
【００５６】
圧接・テープ送り部１４は、テープ送りローラ３１と圧接ローラ３２を有しており、タグテープロール２１から繰り出されるタグテープ２２とカバーフィルムロール２４から繰り出されるカバーフィルム２５とを重ねた状態でテープ送りローラ３１と圧接ローラ３２の間で押接的に挟持する。圧接・テープ送り部１４は、この押接挟持によりタグテープ２２にカバーフィルム２５を接合させるとともに、そのタグテープ２２とカバーフィルム２５の接合で形成される印字済タグラベル用テープ３３を矢示Ａ方向に送り出す。
【００５７】
印字部１５は、印字ヘッド３４とプラテンローラ３５を有しており、カバーフィルムロール２４から繰り出されるカバーフィルム２５とインクリボンロール２７から繰り出されるインクリボン２８とが印字ヘッド３４とプラテンローラ３５の間を通過するように構成され、その通過に際してカバーフィルム２５に印字が行われる。
【００５８】
切断部１６は、カッタ３６を有しており、このカッタ３６により印字済タグラベル用テープ３３を所定の長さ、あるいは所望の長さで切断して無線タグラベルＴを生成する。
【００５９】
送受信部１７は、送受信用のアンテナ、例えばコイル状に形成されたループアンテナ３７を有しており、このループアンテナ３７を介して印字済タグラベル用テープ３３に対する無線通信による情報の読取りまたは書込み、より具体的には印字済タグラベル用テープ３３に埋め込むようにして配置されている後述の無線タグ回路素子Ｔo（後述の図５参照）に対する情報の読取りまたは書込みを行う。
【００６０】
以上のようなタグラベル作成装置１による無線タグラベルＴの作成は以下のようにして行われる。例えば図１の端末装置ＤＴａでタグラベル作成の入力がなされてタグラベル作成が開始されると、圧接・テープ送り部１４のテープ送りローラ３１が駆動してタグテープロール２１からタグテープ２２が繰り出される。またタグテープ２２の繰出しと同期してカバーフィルムロール２４からカバーフィルム２５が繰り出される。
【００６１】
カバーフィルムロール２４から繰り出されたカバーフィルム２５は、圧接・テープ送り部１４でタグテープ２２に接合される前に印字部１５を通過し、その際に印字ヘッド３４とプラテンローラ３５が作動することにより印字がなされる。この印字処理に際しては、印字の文字数などに応じた長さでインクリボン２８がリボン巻取りローラ２９で巻き取られながらインクリボンロール２７から繰り出される。こうした印字処理は、例えば図１の端末装置ＤＴａで入力されたデータに基づいて行われるもので、例えば後述の図１０（ａ）の例の無線タグラベルＴにおけるような印字文字Ｒが印字される。
【００６２】
印字が施されたカバーフィルム２５は、圧接・テープ送り部１４で圧接ローラ３２によりタグテープ２２に押接され、これによりタグテープ２２に接合される。タグテープ２２へのカバーフィルム２５の接合で形成された印字済タグラベル用テープ３３は、テープ送りローラ３１で矢示Ａ方向に送り出され、送受信部１７を通過する。
【００６３】
送受信部１７では、そこを通過する印字済タグラベル用テープ３３に対して上述のような無線通信による情報の読取りまたは書込みがなされる。この無線通信は、例えば図１の端末装置ＤＴａで入力されたデータに基づいて行われ、このときに読み取り又は書き込んだ情報が例えば端末装置ＤＴａに表示される。
【００６４】
送受信部１７による情報の読取りまたは書込みが終了すると、テープ切断部１６におけるカッタ３６が作動して印字済タグラベル用テープ３３を切断し、これにより所定の長さの無線タグラベルＴが生成される。
【００６５】
図４は、無線タグラベルＴを作成する際の端末装置ＤＴａの表示画面における表示の一例を示す図である。この例では、無線タグラベルＴの種別（アクセス周波数やタグラベル寸法）、印字部１５で印字される印字文字、無線タグラベルにおける無線タグ回路素子に固有の識別情報であるアクセスＩＤ、図１の情報サーバＩＳに格納されている物品情報のアドレス、および図１のルートサーバＲＳにおけるそれらの対応情報の格納先アドレスなどが読取り情報に含まれている。
【００６６】
図５（ａ）は、上記タグテープ２２の構成を示す上面図、図５（ｂ）はテープ厚さ方向の構成を示す図５（ａ）中Ａ−Ａ断面による概念的側断面図、図５（ｃ）は図５（ａ）中Ｂ−Ｂ断面によるはテープ厚さ方向の構成を示す概念的横断面図である。
【００６７】
図５（ａ）〜（ｃ）に示すように、タグテープ２２には、複数個の無線タグ回路素子保持体Ｈが、テープ長手方向に所定の間隔を空けて配置されている。各無線タグ回路素子保持体Ｈにおいては、略シート状のアンテナ基材７１上に、無線タグ回路素子Ｔoが形成されている。
【００６８】
タグテープ２２は、この例では、表面側（図５（ｂ）中上側）から順に、略テープ状の第１テープ媒体８１と、上記無線タグ回路素子保持体Ｈと、略テープ状の第２テープ媒体８２とを備えたテープ厚さ方向の積層構造となっている。第１テープ媒体８１及び第２テープ媒体８２は、各無線タグ回路素子保持体Ｈをテープ厚さ方向にそれぞれ挟むように配置されている。
【００６９】
第１テープ媒体８１は、粘着剤層４４と、無線タグ回路素子保持体Ｈを配置するための略テープ状のテープ基材層４５（第１テープ基材層）と、粘着剤層４６とを備えている。第２テープ媒体８２は、粘着剤層４７と、無線タグ回路素子保持体Ｈを配置するための略テープ状のテープ基材層４８と、粘着剤層４９と、剥離紙層５０とを備えている。これら第１テープ媒体８１の粘着剤層４６と、第２テープ媒体８２の粘着剤層４７との間に、無線タグ回路素子保持体Ｈが配置される。
【００７０】
粘着剤層４４（貼り合わせ用粘着剤層）はカバーフィルム接合用粘着剤層であり、上述のようにしてタグテープ２２に貼り合わせ対象のカバーフィルム２５を接合させるために用いられる。
【００７１】
テープ基材層４５及びテープ基材層４８は、例えばＰＥＴ樹脂のような樹脂材でテープ状に形成されている。
【００７２】
粘着剤層４６と粘着剤層４７は、それぞれ無線タグ回路素子保持体Ｈをテープ基材層４８に取り付けるための第１取り付け用粘着剤層及び第２取り付け用粘着剤層として機能する。
【００７３】
粘着剤層４９は、貼り付け用粘着剤層であり、後述の無線タグラベルＴを目的の商品などに貼り付けるのに用いられる。剥離紙層５０は、粘着剤層４９を貼り付けに用いるまで保護するのに機能する。
【００７４】
図６は、上記タグテープ２２の要部構成を表す図５（ａ）の一部透視上面図であり、図７は、その詳細拡大図である。
【００７５】
これら図６及び図７において、無線タグ回路素子Ｔoは、情報を記憶するＩＣ回路部５１と、情報の送受信を行うループコイル形状のアンテナ５２とを備えている。
【００７６】
ＩＣ回路部５１とアンテナ５２とは、接合部材（電極）７０ａ，７０ｂによって電気的に接続され、導通されている。接合部材７０ａは、上記ループコイル形状のアンテナ５２の一方側（この例では径方向内側）端部と上記ＩＣ回路部５１とを導通するように配置されている。接合部材７０ｂは、上記ループコイル形状のアンテナ５２の他方側（この例では径方向外側）端部と上記ＩＣ回路部５１とを導通するように配置されている。
【００７７】
また、無線タグ回路素子Ｔoに備えられた上記ＩＣ回路部５１を覆うようにして保護するための保持部材７２（＝モールド部材。例えば適宜の合成樹脂材で形成され、ＩＣ回路部５１をモールド成形している）が設けられている。ＩＣ回路部５１は、この例では保持部材７２の下面側（アンテナ５２側）に設けられている。上記接合部材７０ａ，７０ｂは、保持部材７２の下面側において、アンテナ５２とＩＣ回路部５１とを導通するように配置されている。
【００７８】
図８は、図７中Ｄ−Ｄ断面による横断面構造（粘着剤層４４、テープ基材層４５、粘着剤層４６、無線タグ回路素子保持体Ｈ、粘着剤層４７、テープ基材層４８、粘着剤層４９、剥離紙層５０）のうち、中間部である、テープ基材層４５、粘着剤層４６、無線タグ回路素子保持体Ｈ、粘着剤層４７、テープ基材層４８の積層構造を説明するための分解断面図である。
【００７９】
図８に示す積層構造において、本実施形態の特徴として、無線タグ回路素子保持体Ｈに備えられた上記保持部材７２と上記アンテナ基材７１との間に、略粉末状又は略液体状の吸湿剤ＰＷが設けられている。この吸湿剤ＰＷが、ＩＣ回路部５１近傍の吸湿を行うための吸湿手段を構成している。
【００８０】
吸湿剤を構成する吸湿材料としては、化学物質の固有の性質（化学反応・潮解）を利用するいわゆる化学的乾燥剤や、多孔質表面に水分子が吸着しやすい性質を利用する物理的乾燥剤等を用いることができる。
【００８１】
化学的乾燥剤としては、例えば、塩化カルシウム、五酸化二リン、水酸化ナトリウム、金属ナトリウム、硫酸ナトリウム無水塩、硫酸銅無水塩、過塩素酸マグネシウム、生石灰、濃硫酸等がある。物理的乾燥剤としては、酸化アルミニウム、モレキュラーシーブ、シリカゲル等がある。
【００８２】
図９は、無線タグ回路素子Ｔoの機能的な構成の一例を示す機能ブロック図である。前述したように、無線タグ回路素子Ｔoは、ＩＣ回路部５１とアンテナ（ループアンテナ）５２とを備えている。
【００８３】
ＩＣ回路部５１は、アンテナ５２により受信された質問波を整流する整流部６２と、この整流部６２により整流された質問波のエネルギを蓄積し駆動電源とするための電源部６３と、上記アンテナ５２により受信された質問波からクロック信号を抽出して制御部６４に供給するクロック抽出部６５と、所定の情報信号を記憶し得るメモリ部６７と、上記アンテナ５２に接続された変復調部６６と、上記メモリ部６７、クロック抽出部６５、及び変復調部６６等を介して上記無線タグ回路素子Ｔoの作動を制御するための上記制御部６４とを備えている。
【００８４】
変復調部６６は、アンテナ５２により受信された通信信号の復調を行うと共に、上記制御部６４からの返信信号に基づき、アンテナ５２で受信した質問波を変調し、アンテナ５２より応答波として再送信する。
【００８５】
制御部６４は、上記変復調部６６により復調された受信信号を解釈し、上記メモリ部６７において記憶された情報信号に基づいて返信信号を生成し、上記変復調部６６により返信する制御等の基本的な制御を実行する。
【００８６】
クロック抽出部６５は受信した信号からクロック成分を抽出して制御部６４にクロックを抽出するものであり、受信した信号のクロック成分の周波数に対応したクロックを制御部６４に供給する。
【００８７】
図１０（ａ）は上記タグテープ２２から作成される無線タグラベルＴの一例を表す上面図であり、図１０（ｂ）は図１０（ａ）中のＣ−Ｃ横断面による横断面図である。
【００８８】
これら図１０（ａ）及び図１０（ｂ）において、無線タグラベルＴは、上述の多層構造のタグテープ２２にカバーフィルム２５を接合して得られる印字済タグラベル用テープ３３（図３参照）を所定の長さあるいは所望の長さで切断して形成される。したがって、無線タグラベルＴは、タグテープ２２の積層構造にカバーフィルム２５が加わることで、表面側（図１０中上側）から順にカバーフィルム２５、粘着剤層４４、テープ基材層４５、粘着剤層４６、無線タグ回路素子保持体Ｈ、粘着剤層４７、テープ基材層４８、粘着剤層４９、および剥離紙層５０を有する９層構造となっている。なお、上記カバーフィルム２５には、裏面側（図１０中下側）から印字文字Ｒが印字されている。
【００８９】
以上のように構成した本実施形態においては、無線タグ回路素子保持体Ｈを構成する保持部材７２とアンテナ基材７１との間に吸湿剤ＰＷを設ける。この吸湿作用により、保持部材７２に設けたＩＣ回路部５１近傍に存在する空気層ＡＲにおいて、周囲温度の変動等によって結露が生じるのを防止する。この結果、無線タグ回路素子ＴoのＩＣ回路部５１の健全性を向上することができる。
【００９０】
本発明は、上記実施形態に限られるものではなく、その趣旨及び技術的思想を逸脱しない範囲内で種々の変形が可能である。以下、そのような変形例を順を追って説明する。
【００９１】
（１）吸湿材料で構成された保持部材７２′を用いる場合
図１１は、この変形例におけるタグテープの中間部の横断面構造を表す分解断面図であり、上記図８に対応する図である。図１１において、この変形例では、上記略粉末状又は略液体状の吸湿剤ＰＷを設けるのに代えて、保持部材７２′自体を（その少なくとも一部を）吸湿材料により構成されている。この場合、保持部材７２′が、ＩＣ回路部５１近傍の吸湿を行うための吸湿手段を構成する。なお、吸湿材料としては、上述と同様、化学的乾燥剤や物理的乾燥剤等を用いることができる。
【００９２】
本変形例においては、無線タグ回路素子保持体Ｈを構成する保持部材７２′の少なくとも一部を吸湿性材料で構成し、吸湿手段として機能させる。この吸湿作用により、積層構造中に設けたＩＣ回路部５１近傍に存在する空気層ＡＲにおいて、周囲温度の変動等によって結露が生じるのを防止する。この結果、無線タグ回路素子ＴoのＩＣ回路部５１の健全性を向上することができる。
【００９３】
（２）ＩＣ回路部５１の保持構造が異なる場合
上記実施形態及び（１）の変形例においては、保持部材７２，７２′の下面側にＩＣ回路部５１を設け、同じく保持部材７２，７２′の下面側に設けた接合部材７０ａ，７０ｂによりアンテナ５２とＩＣ回路部５１との導通を行った。これに限られず、ＩＣ回路部５１を別の保持構造で保持するようにしてもよい。
【００９４】
図１２は、そのような変形例におけるタグテープの要部構成を表す拡大上面図であり、上記図７に対応する図である。また、図１３は図１２に示す積層構造の中間部の横断面構造を表す図１２中Ｆ−Ｆ断面による分解断面図であり、上記図８に対応する図である。これら図１２及び図１３において、本変形例では、ＩＣ回路部５１は、保持部材７２の上面側に設けられている。このとき保持部材７２には、上面側から下面側へ貫通する貫通孔（スルーホール）が２つ設けられている。２つのうち一方の貫通孔を貫通して延設される導電部材（導電パターン）７４ａが、保持部材７２下面側の接合部材７０ａ（アンテナ５２に導通している）と保持部材上面側のＩＣ回路部５１の一方側（図１３中左側）とを接続し、電気的に導通させている。同様に、２つのうち他方の貫通孔を貫通して延設される導電部材７４ｂが、保持部材７２下面側の接合部材７０ｂ（アンテナ５２に導通している）と保持部材７２上面側のＩＣ回路部５１の他方側（図１３中右側）とを接続し、電気的に導通させている。
【００９５】
本変形例によっても、上記実施形態と同様の効果を得る。
【００９６】
（３）吸湿材料で構成されたアンテナ基材７１′を用いる場合
図１４は、この変形例におけるタグテープの中間部の横断面構造を表す分解断面図であり、上記（１）の変形例の図１１に対応する図である。図１４において、この変形例では、上記（１）の変形例において保持部材７２′を化学的乾燥剤や物理的乾燥剤等の吸湿材料で構成したのに代えて、アンテナ基材７１′全体（あるいは、例えば特にＩＣ回路部５１の近傍のみでもよい）を化学的乾燥剤や物理的乾燥剤等の吸湿材料で構成する。
【００９７】
この場合も、上記同様、アンテナ基材７１′を吸湿手段として機能させ、その吸湿作用により、積層構造中に設けたＩＣ回路部５１近傍に存在する空気層ＡＲにおいて、周囲温度の変動等によって結露が生じるのを防止する。この結果、無線タグ回路素子ＴoのＩＣ回路部５１の健全性を向上することができる。
【００９８】
（４）アンテナ基材７１の貼り付け側に隣接して略シート状の吸湿材７３を配置する場合
図１５は、この変形例におけるタグテープ２２の中間部の横断面構造を表す分解断面図であり、上記図８に相当する図である。
【００９９】
図１５において、本変形例では、積層構造中の無線タグ回路素子保持体Ｈに対しテープ厚さ方向に近接するように、この例ではアンテナ基材７１と粘着剤層４７との間に、上記に例示したような吸湿材料からなる略シート状の吸湿材７３が配置されている。
【０１００】
図１６は、本変形例のタグテープ２２の要部構成を表す一部透視した詳細拡大上面図である。これら図１６及び図１５に示すように、吸湿材７３は、この例では、無線タグ回路素子保持体Ｈのすべてとテープ厚さ方向に重なる（すべてを覆う）ように介在配置されている。
【０１０１】
またこのとき、この吸湿材７３による吸湿機能を保持部材７２に覆われたＩＣ回路部５１側にも作用させるように、アンテナ基材７１のうち保持部材７２に覆われた部分に少なくとも１箇所（この例では２箇所）に、アンテナ基材７１を貫通する貫通孔７１Ａ，７１Ｂが設けられている。
【０１０２】
本変形例においては、第２テープ媒体８２の粘着剤層４７と無線タグ回路素子保持体Ｈとの間に設けた略シート状の吸湿材７３により、ＩＣ回路部５１近傍に存在する空気層ＡＲにおいて結露が生じるのを防止することができる。また、略シート状の吸湿材７３を新たに追加するだけで、それ以外の構成は変えることなく、容易に結露防止を図ることができる。
【０１０３】
なお、図１７に示すように、吸湿材７３の大きさをアンテナ基材７１よりも小さくしてもよい。さらに、図１６中想像線で示すように、保持部材７２部分のみと厚さ方向に重なるように（この例では長手方向がタグテープ２２の幅方向となる）略テープ状の吸湿材７３としてもよい。これらの場合も同様の効果を得る。
【０１０４】
（５）アンテナ基材７１の貼り付け側に粉末吸湿剤ＰＷ等を付着させる場合
図１８は、この変形例におけるタグテープ２２の中間部の横断面構造を表す分解断面図であり、上記図８等に相当する図である。
【０１０５】
図１８において、本変形例では、積層構造中の無線タグ回路素子保持体Ｈの少なくとも一部（この例ではほぼ全部）に対しテープ厚さ方向に近接するように、この例ではアンテナ基材７１の粘着剤層４７側に、略粉末状又は略液体状の吸湿剤（例えばシリカゲルや、その他上記したもの等）ＰＷを付着させる。
【０１０６】
このときの組み立て手順としては、まず、アンテナ基材７１を備えた無線タグ回路素子保持体Ｈの少なくとも一部に（図示下側に）、上記略粉末状又は略液体状の吸湿剤ＰＷを付着させる。その後、その吸湿剤ＰＷが付着した無線タグ回路素子保持体Ｈを、上記粘着剤層４６やテープ基材層４５を備えた第１テープ媒体８１と、上記粘着剤層４７やテープ基材層４８を備えた第２テープ媒体８２とを用いて、テープ厚さ方向両側より挟み込む。
【０１０７】
本変形例においては、第２テープ媒体８２の粘着剤層４７と無線タグ回路素子保持体Ｈとの間に設けた吸湿剤ＰＷにより、上記貫通孔７１Ａ，７１Ｂを介し、ＩＣ回路部５１近傍に存在する空気層ＡＲにおいて結露が生じるのを防止することができる。このとき、吸湿剤ＰＷを付着させるだけで、積層構造自体は変えることなく、容易に結露防止を図ることができる。また、第１テープ媒体８１及び第２テープ媒体８２により無線タグ回路素子保持体Ｈを挟み込む前に、吸湿剤ＰＷを付着する手順を加えるだけで、その他の手順や構成は変えることなく、容易に結露防止を図ることができる。
【０１０８】
（６）吸湿性材料で構成したテープ基材４８′を用いる場合
図１９は、この変形例におけるタグテープ２２の中間部の横断面構造を表す分解断面図であり、上記図８等に相当する図である。
【０１０９】
図１９において、本変形例では、積層構造中の無線タグ回路素子保持体Ｈに対しテープ厚さ方向に近接する（この例ではアンテナ基材７１に対し粘着剤層４７を介し配置される）テープ基材層４８′を上記に例示したような吸湿材料により構成し、吸湿手段として機能させる。
【０１１０】
またこのとき、このテープ基材層４８′の吸湿材料による吸湿機能を保持部材７２に覆われたＩＣ回路部５１側にも作用させるように、粘着剤層４７の適宜の箇所に、表裏を貫通する少なくとも１つの（この例では複数の）貫通孔４７Ａ，４７Ｂが設けられている。
【０１１１】
本変形例においては、第２テープ媒体８２のテープ基材層４８′の吸湿機能を、粘着剤層４７の貫通孔４７Ａ，４７Ｂ及びアンテナ基材７１の貫通孔７１Ａ，７１Ｂを介し作用させ、ＩＣ回路部５１近傍に存在する空気層ＡＲにおいて結露が生じるのを防止することができる。
【０１１２】
（７）吸湿性材料を含んだ粘着剤層４７′を用いる場合
図２０は、この変形例におけるタグテープ２２の中間部の横断面構造を表す分解断面図であり、上記図８等に相当する図である。
【０１１３】
図２０において、本変形例では、積層構造中の無線タグ回路素子保持体Ｈに対しテープ厚さ方向に近接する（この例ではアンテナ基材７１に隣接する）粘着剤層４７′中に、上記に例示したような略粉末状又は略液体状の吸湿剤（シリカゲル他）を含ませる。
【０１１４】
本変形例においては、吸湿手段としての粘着層４７′に含まれる略粉末状又は略液体状の吸湿剤の吸湿機能を、アンテナ基材７１の貫通孔７１Ａ，７１Ｂを介し作用させ、ＩＣ回路部５１近傍に存在する空気層ＡＲにおいて結露が生じるのを防止することができる。
【０１１５】
（８）無線タグ回路素子Ｔoを覆う保持部材がない場合
図２１は、本変形例によるタグテープ２２の要部構成を表す透視上面図であり、図２２はその詳細拡大図であり、それぞれ、前述の図６及び図７に相当する図である。図２３は、この変形例におけるタグテープ２２の中間部の横断面構造を表す図２２中Ｅ−Ｅ断面による分解断面図であり、上記図８等に相当する図である。
【０１１６】
これら図２１、図２２、及び図２３において、本変形例では、無線タグ回路素子保持体Ｈは前述のＩＣ回路部５１等を覆うように配置される保持部材を備えていない。また、アンテナ５２の一方側（この例では径方向内側）端部と上記ＩＣ回路部５１とを導通する接合部材７０ａと、アンテナ５２の他方側（この例では径方向外側）端部と上記ＩＣ回路部５１とを導通させるための接合部材７０ｂとの両方がアンテナ５２の径方向内側部に配置されている。また、上記他方側の接合部材７０ｂは、アンテナ５２の径方向内外を跨ぐように設けられた連結導通部材７３を介し、アンテナ５２の他方側（径方向外側）端部と導通されている。
【０１１７】
そして、本変形例では、図２３に示す積層構造において、前述の図１４に示した（３）の変形例と同様、無線タグ回路素子保持体Ｈに備えられた上記アンテナ基材７１′の少なくとも一部が吸湿材料（例えば前述と同様のもの）により構成され、ＩＣ回路部５１近傍の吸湿を行うための吸湿手段を構成している。
【０１１８】
本変形例においては、無線タグ回路素子保持体Ｈを構成するアンテナ基材７１′の少なくとも一部を吸湿性材料で構成し、吸湿手段として機能させる。この吸湿作用により、積層構造中に設けたＩＣ回路部５１近傍に存在する空気層において、周囲温度の変動等によって結露が生じるのを防止する。この結果、無線タグ回路素子ＴoのＩＣ回路部５１の健全性を向上することができる。
【０１１９】
（９）アンテナ基材７１の貼り付け側と反対側に略シート状の吸湿材７５を配置する場合
図２４は、この変形例におけるタグテープ２２の中間部の横断面構造を表す分解断面図であり、上記図８等に相当する図である。
【０１２０】
図２４において、本変形例では、積層構造中の無線タグ回路素子保持体Ｈに対しテープ厚さ方向に近接するように、この例ではアンテナ基材７１と粘着剤層４６との間に、上記に例示したような吸湿材料からなる略シート状の吸湿材７５が配置されている。
【０１２１】
図２５は、本変形例のタグテープ２２の要部構成を表す一部透視した詳細拡大上面図である。これら図２５及び図２４に示すように、吸湿材７５は、この例では、無線タグ回路素子保持体Ｈのすべてとテープ厚さ方向に重なる（すべてを覆う）ように介在配置されている。
【０１２２】
本変形例においては、第１テープ媒体８１の粘着剤層４６と無線タグ回路素子保持体Ｈとの間に設けた略シート状の吸湿材７５により、ＩＣ回路部５１近傍に存在する空気層において結露が生じるのを防止することができる。また、略シート状の吸湿材７５を新たに追加するだけで、それ以外の構成は変えることなく、容易に結露防止を図ることができる。
【０１２３】
なお、図２６に示すように、吸湿材７５の大きさをアンテナ基材７１よりも小さくしてもよい。また、図２６中の想像線に示すように、アンテナ５２が広範囲に露出するように（この例では長手方向がタグテープ２２の長手方向となる）略テープ状の吸湿材７５としてもよい。これらの場合も同様の効果を得る。なお、前述の（２）の変形例の構造において、これら略シート状の吸湿材７５を設ける構造を適用してもよい。この場合も、上記同様、吸湿材７５により、ＩＣ回路部５１近傍に存在する空気層に結露が生じるのを防止することができる。
【０１２４】
（１０）アンテナ基材７１の貼り付け側と反対側に粉末吸湿剤ＰＷ等を付着させる場合
図２７は、この変形例におけるタグテープ２２の中間部の横断面構造を表す分解断面図であり、上記図８等に相当する図である。
【０１２５】
図２７において、本変形例では、積層構造中の無線タグ回路素子保持体Ｈの少なくとも一部（この例ではほぼ全部）に対しテープ厚さ方向に近接するように、この例ではアンテナ基材７１の粘着剤層４６側に、略粉末状又は略液体状の吸湿剤（例えばシリカゲルや、その他上記したもの等）ＰＷを付着させる。
【０１２６】
このときの組み立て手順としては、前述と同様、まず、アンテナ基材７１を備えた無線タグ回路素子保持体Ｈの少なくとも一部に（図示上側に）、上記略粉末状又は略液体状の吸湿剤ＰＷを付着させる。その後、その吸湿剤ＰＷが付着した無線タグ回路素子保持体Ｈを、上記粘着剤層４６やテープ基材層４５を備えた第１テープ媒体８１と、上記粘着剤層４７やテープ基材層４８を備えた第２テープ媒体８２とを用いて、テープ厚さ方向両側より挟み込む。
【０１２７】
本変形例においては、第１テープ媒体８１の粘着剤層４６と無線タグ回路素子保持体Ｈとの間に設けた吸湿剤ＰＷにより、ＩＣ回路部５１近傍に存在する空気層において結露が生じるのを防止することができる。このとき、吸湿剤ＰＷを付着させるだけで、積層構造自体は変えることなく、容易に結露防止を図ることができる。また、第１テープ媒体８１及び第２テープ媒体８２により無線タグ回路素子保持体Ｈを挟み込む前に、吸湿剤ＰＷを付着する手順を加えるだけで、その他の手順や構成は変えることなく、容易に結露防止を図ることができる。
【０１２８】
（１１）吸湿性材料で構成したテープ基材層４５′を用いる場合
図２８は、この変形例におけるタグテープ２２の中間部の横断面構造を表す分解横断面図であり、上記図８等に相当する図である。
【０１２９】
図２８において、本変形例では、積層構造中の無線タグ回路素子保持体Ｈに対しテープ厚さ方向に近接する（この例ではアンテナ基材７１に対し粘着剤層４６を介し配置される）テープ基材層４５′を、上記に例示したような吸湿材料により構成する。
【０１３０】
またこのとき、このテープ基材層４５′の吸湿材料による吸湿機能をＩＣ回路部５１側にも作用させるように、粘着剤層４６の適宜の箇所に、表裏を貫通する少なくとも１つの（この例では複数の）貫通孔４６Ａ，４６Ｂが設けられている。
【０１３１】
本変形例においては、第１テープ媒体８１に備えられた吸湿手段としてのテープ基材層４５′の吸湿機能を、粘着剤層４６の貫通孔４６Ａ，４６Ｂを介し作用させ、ＩＣ回路部５１近傍に存在する空気層において結露が生じるのを防止することができる。
【０１３２】
（１２）吸湿性材料を含む粘着剤層４６′を用いる場合
図２９は、この変形例におけるタグテープ２２の中間部の横断面構造を表す分解断面図であり、上記図８等に相当する図である。
【０１３３】
図２９において、本変形例では、積層構造中の無線タグ回路素子保持体Ｈに対しテープ厚さ方向に近接する（この例ではアンテナ基材７１の貼り付け側と反対側に隣接する）粘着剤層４６′中に、上記に例示したような略粉末状又は略液体状の吸湿剤（シリカゲル他）を含ませる。
【０１３４】
本変形例においては、吸湿手段としての粘着層４６′に含まれる略粉末状又は略液体状の吸湿剤の吸湿機能により、ＩＣ回路部５１近傍に存在する空気層において結露が生じるのを防止することができる。
【０１３５】
（１３）その他
図８、図１８、図２７等に示す構成において、吸湿手段としての略粉末状又は略液体状の吸湿剤ＰＷは、絶縁層や配線や端子を避けるように設けたり、その吸湿剤を紙袋等にすっぽりと収めた状態で配置する（ＩＣ回路部等と吸湿材との間に紙等の絶縁体を介在させる）ようにしてもよい。これにより、吸湿作用を実行した後の水分を含んだ吸湿剤ＰＷが、ＩＣ回路部５１や周囲配線等に対し影響を与えるのを確実に防止し、万全を期すことができる。
【０１３６】
また、以上においては、印字及び無線タグ回路素子Ｔoへのアクセス（読み取り又は書き込み）の終了した印字済タグラベル用テープ３３をカッタ３６で切断して無線タグラベルＴを作成した場合を例にとって説明したが、これに限られない。すなわち、ラベルに対応した所定の大きさに予め分離されたラベル台紙（いわゆるダイカットラベル）がロールから繰り出されるテープ上に連続配置されているような場合には、カッタ１５で切断しなくても、テープが排出口４から排出されてきた後にラベル台紙（アクセス済みの無線タグ回路素子Ｔoが備えられかつ対応する印字がなされたもの）のみをテープから剥がして無線タグラベルＴを作成しても良く、本発明はこのようなものに対しても適用できる。
【０１３７】
また、以上においては、無線タグ回路素子Ｔoを備えた基材テープ２２とは別のカバーフィルム２５に印字を行ってこれらを貼り合わせる方式であったが、これに限られず、タグテープに備えられた被印字テープ層に印字を行う方式（貼りあわせを行わないタイプ）に本発明を適用してもよい。さらに、無線タグ回路素子ＴoのＩＣ回路部５１から無線タグ情報の読み出し又は書き込みを行うと共に、印字ヘッド３４によってその無線タグ回路素子Ｔoを識別するための印刷を行うものにも限られない。この印刷は必ずしも行われなくともよく、無線タグ情報の読み出し又は書き込みのみを行うものに対し本発明を適用することもできる。
【０１３８】
さらに、以上は、タグテープがリール部材の周りに巻回されてロールを構成し、カートリッジ１３内にそのロールが配置されてタグテープが繰り出される場合を例にとって説明したが、これに限られない。例えば、無線タグ回路素子Ｔoが少なくとも一つ配置された長尺平紙状あるいは短冊状のテープやシート（ロールに巻回されたテープを繰り出した後に適宜の長さに切断して形成したものを含む）を、所定の収納部にスタックして（例えばトレイ状のものに平積み積層して）カートリッジ化し、このカートリッジをタグラベル作成装置２側のカートリッジホルダに装着して、上記収納部から移送、搬送して印字及び書き込みを行いタグラベルを作成するようにしてもよい。
【０１３９】
さらには上記ロールを直接タグラベル作成装置１側に着脱可能に装着する構成や、長尺平紙状あるいは短冊状のテープやシートをタグラベル作成装置１外より１枚ずつ所定のフィーダ機構によって移送しタグラベル作成装置１内へ供給する構成も考えられ、さらにはカートリッジ１３のようなタグラベル作成装置２本体側に着脱可能なものにも限られず、装置本体側に着脱不能のいわゆる据え付け型あるいは一体型としてタグテープロール２１を設けることも考えられる。この場合も同様の効果を得る。
【０１４０】
また、以上既に述べた以外にも、上記実施形態や各変形例による手法を適宜組み合わせて利用しても良い。
【０１４１】
その他、一々例示はしないが、本発明は、その趣旨を逸脱しない範囲内において、種々の変更が加えられて実施されるものである。
【図面の簡単な説明】
【０１４２】
【図１】本発明に係るタグテープを用いて無線タグラベルを作成するための無線タグラベル作成システムの全体のシステム構成を表すシステム構成図である。
【図２】タグラベル作成装置の外観構成を示す斜視図であ
【図３】装置本体の内部に設けられている内部ユニットの要部の構成を模式化して示す要部構成図である。
【図４】無線タグラベルを作成する際の端末装置の表示画面における表示の一例を示す図である。
【図５】タグテープの構成を示す上面図、図５（ａ）中Ａ−Ａ断面による概念的側断面図、図５（ａ）中Ｂ−Ｂ断面によるはテープ厚さ方向の構成を示す概念的横断面図である。
【図６】タグテープの要部構成を表す図５（ａ）の一部透視上面図である。
【図７】タグテープの要部構成を表す上面拡大図である。
【図８】タグテープの中間部の横断面構造を表す図７中Ｄ−Ｄ断面による分解断面図である。
【図９】無線タグ回路素子の機能的な構成の一例を示す機能ブロック図である。
【図１０】無線タグラベルの一例を表す上面図、及び、Ｃ−Ｃ横断面による横断面図である。
【図１１】吸湿材料で構成された保持部材を用いる変形例によるタグテープの中間部の横断面構造を表す分解断面図である。
【図１２】ＩＣ回路の保持構造が異なる変形例によるタグテープの要部構成を表す上面拡大図である。
【図１３】タグテープの中間部の横断面構造を表す図１２中Ｆ−Ｆ断面による分解断面図である。
【図１４】吸湿材料で構成されたアンテナ基材を用いる変形例によるタグテープの中間部の横断面構造を表す分解断面図である。
【図１５】アンテナ基材の貼り付け側に隣接して吸湿シートを配置する変形例におけるタグテープの中間部の横断面構造を表す分解断面図である。
【図１６】タグテープの要部構成を表す一部透視した詳細拡大上面図である。
【図１７】吸湿材の大きさをアンテナ基材よりも小さくした変形例を表す図である。
【図１８】アンテナ基材の貼り付け側に粉末吸湿剤等を付着させる変形例におけるタグテープの中間部の横断面構造を表す分解断面図である。
【図１９】テープ基材を吸湿性材料で構成する変形例におけるタグテープの中間部の横断面構造を表す分解断面図である。
【図２０】粘着剤層に吸湿性材料を含ませる変形例におけるタグテープの中間部の横断面構造を表す分解断面図である。
【図２１】無線タグ回路素子保持体が保持部材を備えない変形例によるタグテープの要部構成を表す透視上面図である。
【図２２】タグテープの要部構成を表す透視上面拡大図である。
【図２３】タグテープの中間部の横断面構造を表す図２２中Ｅ−Ｅ断面による分解断面図である。
【図２４】アンテナ基材の貼り付け側と反対側に吸湿シートを配置する変形例におけるタグテープの中間部の横断面構造を表す分解断面図である。
【図２５】タグテープの要部構成を表す一部透視した詳細拡大上面図である。
【図２６】吸湿材の大きさをアンテナ基材よりも小さくした場合を表す図である。
【図２７】アンテナ基材の貼り付け側と反対側に粉末吸湿剤等を付着させる変形例におけるタグテープの中間部の横断面構造を表す分解断面図である。
【図２８】テープ基材を吸湿性材料で構成する変形例におけるタグテープの中間部の横断面構造を表す分解断面図である。
【図２９】粘着剤層に吸湿性材料を含ませる変形例におけるタグテープの中間部の横断面構造を表す分解断面図である。
【符号の説明】
【０１４３】
１            タグラベル作成装置
１３          カートリッジ（無線タグ回路素子カートリッジ）
２１          タグテープロール
２２          タグテープ
４４          粘着剤層（貼り合わせ用粘着剤層）
４５          テープ基材層（第１テープ基材層）
４５′        テープ基材層（第１テープ基材層、吸湿手段）
４６          粘着剤層（第１取り付け用粘着剤層）
４６Ａ        貫通孔
４６′        粘着剤層（第１取り付け用粘着剤層、吸湿手段）
４７          粘着剤層（第２取り付け用粘着剤層）
４７Ａ        貫通孔
４７′        粘着剤層（第２取り付け用粘着剤層、吸湿手段）
４８          テープ基材層（第２テープ基材層）
４８′        テープ基材層（第２テープ基材層、吸湿手段）
５１          ＩＣ回路部
５２          アンテナ（タグ側アンテナ）
７１          アンテナ基材
７１′        アンテナ基材（吸湿手段）
７１ａ，ｂ    貫通孔
７２          保持部材
７２′        保持部材（吸湿手段）
７３          吸湿材（吸湿手段）
７５          吸湿材（吸湿手段）
８１          第１テープ媒体
８２          第２テープ媒体
ＡＲ          空気層
Ｈ            無線タグ回路素子保持体
ＰＷ          吸湿剤（吸湿手段）
Ｔo           無線タグ回路素子
【図１】
2008299495.tif 000003
【図２】
2008299495.tif 000004
【図３】
2008299495.tif 000005
【図４】
2008299495.tif 000006
【図５】
2008299495.tif 000007
【図６】
2008299495.tif 000008
【図７】
2008299495.tif 000009
【図８】
2008299495.tif 000010
【図９】
2008299495.tif 000011
【図１０】
2008299495.tif 000012
【図１１】
2008299495.tif 000013
【図１２】
2008299495.tif 000014
【図１３】
2008299495.tif 000015
【図１４】
2008299495.tif 000016
【図１５】
2008299495.tif 000017
【図１６】
2008299495.tif 000018
【図１７】
2008299495.tif 000019
【図１８】
2008299495.tif 000020
【図１９】
2008299495.tif 000021
【図２０】
2008299495.tif 000022
【図２１】
2008299495.tif 000023
【図２２】
2008299495.tif 000024
【図２３】
2008299495.tif 000025
【図２４】
2008299495.tif 000026
【図２５】
2008299495.tif 000027
【図２６】
2008299495.tif 000028
【図２７】
2008299495.tif 000029
【図２８】
2008299495.tif 000030
【図２９】
2008299495.tif 000031